(57)【特許請求の範囲】
【請求項１】
商品収納ラックを搭載した本体ケースに対し、その前面側に商品見本，照明灯を備えるディスプレイ室を画成した外扉，断熱内扉、および庫内の商品を保冷、加熱する冷却／加熱ユニットを装備した自動販売機において、
前記断熱内扉を商品収納ラックの商品投入口を覆う上部内扉、下部域を覆う商品搬出口付きの下部内扉とに二分割した上で、前記外扉の背面に備えたディスプレイ室の背面扉に対し、下部内扉と対向する面域一部にディスプレイ照明灯の明かりを庫内側に向けて採光する透光穴を前記照明灯の長手方向に沿って分散開口したことを特徴とする自動販売機。
【請求項２】
請求項１記載の自動販売機において、断熱内扉の上部内扉を、外扉と一体に開閉するよう外扉に係止したことを特徴とする自動販売機。
【請求項３】
請求項１記載の自動販売機において、透光穴を透明シートで覆ったことを特徴とする自動販売機。
【発明の詳細な説明】
【０００１】
【発明の属する技術分野】
本発明は、缶商品などの販売用自動販売機に関し、詳しくはその庫内照明装置に係わる。
【０００２】
【従来の技術】
頭記した缶商品販売用の自動販売機では、商品収納ラック（例えばサーペンタイン式商品収納ラック）を搭載した本体ケースに対し、その前面側に商品見本，ディスプレイ照明灯を内装したディスプレイ室を画成した外扉の他に、外扉の裏面側に断熱内扉を装備し、冷却／加熱ユニットで冷却，加熱する庫内の熱損失を低く抑えるようにしている。
【０００３】
また、前記の断熱内扉を、商品収納ラックの商品投入口を覆った上部内扉と、下部域を覆った商品搬出口付きの下部内扉に分けた上下二分割構造の扉となし、商品収納ラックに商品を補給するローディング作業時には断熱内扉の下部内扉を閉じたまま、上部内扉を開放して庫内の熱損失を低く抑えるようした構成のものも一部で実施されている。
【０００４】
ここで、図１を援用して上記した缶販売用自動販売機の構成を説明する。図において、１は自動販売機の本体ケース（キャビネット）、２は本体ケース１の庫内に搭載した商品収納ラック（複数コラムからなるサーペンタイン式商品収納ラック）、３は本体ケース１の前面に配した片開き式の外扉、４は外扉３の裏面側に配した片開き式の断熱内扉であり、該断熱内扉４は商品収納ラック２の商品投入口２ａを覆った上部内扉４ａとラックの下部域を覆った下部内扉４ｂとに二分割されており、かつ上下の各分割扉が個別に開閉できるように本体ケース１に対して外扉３，および上部内扉４ａ，下部内扉４ｂの同じ側縁（左側）がヒンジ金具を介して支持されている。
【０００５】
なお、図中で３ａは外扉３の下部に開口した商品取出口、４ｂ-1は下部内扉４ｂに開口したフラッパ付き商品搬出口、５は本体ケース１の庫内底部側に配備した商品搬出シュータ、６は外扉３の裏面に配備したコイン機構、６ａはその集金箱、７は販売商品の価格設定などを行うリモコン（リモートコントローラ）、８は販売数量表示するカウンタ、９は下部内扉４ｂの前面に貼り付けた商品収納ラック４の各コラムの配列，および各コラムに収納する商品の銘柄を表示したコラムラベルである。また、図には描かれてないが、外扉３の前面側には商品取出口コイン投入口などを装備した操作パネルなどのほか、商品見本，照明灯（商品見本台の内方に設置した蛍光灯），商品選択ボタンを装備したディスプレイ室が画成されており、１０はそのディスプレイ室の背面扉板である。
【０００６】
かかる構成で、商品収納ラック２に商品を補給する場合には、外扉３，および断熱内扉４の上部内扉４ａを開放し、下部内扉４ｂは閉じたままの状態で商品収納ラック２の各コラムごとにその商品投入口２ａに商品をローディングする。なお、商品の販売動作については周知であり、ここではその説明は省略する。
【０００７】
また、屋外などのロケーション先に据付けた自動販売機に対し、夕刻，夜間時など手暗がり状況で行う商品補給の作業性を考慮して、従来の自動販売機では、図示鎖線で表すように断熱内扉と４の裏面に作業照明用のランプ１１を埋め込み装備し、内扉４を開放した際にランプ１１を点灯（扉スイッチなどでランプを点灯制御する）して商品収納ラック２の商品投入口２ａを照らすようにしている。
【０００８】
【発明が解決しようとする課題】
ところで、前記のように上部内扉の背面側に照明ランプ１１を装備した従来の庫内照明装置では次に記すように課題が残る。すなわち、ランプ１１の設置スペースは断熱扉４の厚み寸法内に納まるような制約を受けることから、適用可能なランプ１１は数Ｗ程度で光度の小さいランプに限られ、商品補給の作業に必要な明るさを十分確保することが実際面で困難である。また、このランプ１１を扉開放時にのみ点灯制御するために、その配線回路の途中に扉スイッチを要するなどコストもかかる。
【０００９】
なお、煙草自動販売機などのように庫内側に断熱内扉を備えてない自動販売機では、外扉の背面に採光穴が開口しておき、該採光穴を通してディスプレイ室側からの漏れ明かりで庫内側を照らすようにして商品補給作業に対する便宜化を図るようにした構成のものも知られているが、前記した缶商品自動販売機のように庫内に商品を保冷，加熱する冷却／加熱ユニットを内蔵した自動販売機では、外扉の裏面側に断熱内扉を装備していることから、単純に外扉の背面に採光穴を開口しても断熱内扉が邪魔をして庫内を照らすことができない。
【００１０】
本発明は上記の点に鑑みなされたものであり、その目的は前記課題を解決し、外扉のディスプレイ室内に装備した照明灯を利用して商品補給時に庫内の前面を明るく照らすことができるようにその庫内照明装置を改良した自動販売機を提供することにある。
【００１１】
【課題を解決するための手段】
上記目的を達成するために、本発明によれば、商品収納ラックを搭載した本体ケースに対し、その前面側に商品見本，照明灯を有するディスプレイ室を画成した外扉，断熱内扉、および庫内の商品を保冷、加熱する冷却／加熱ユニットを装備した自動販売機において、前記断熱内扉を商品収納ラックの商品投入口を覆う上部内扉と、下部域を覆う商品搬出口付きの下部内扉とに二分割した上で、前記外扉の背面に備えたディスプレイ室の背面扉に対し、下部内扉と対向する面域一部にディスプレイ照明灯の明かりを庫内側に向けて採光する透光穴を前記照明灯の長手方向に沿って分散開口する（請求項１）。
【００１２】
かかる構成で、商品補給時に外扉，および断熱内扉の上部内扉を開放すると、ディスプレイ室内に装備した照明灯（この照明灯は常時点灯している）の光が前記の透光穴を透過して庫内側に採光される。これにより、周囲が暗い状況下でも図１で述べた商品収納ラックの商品投入口，下部内扉（商品補給時には下部内扉が閉じている）の前面にに貼り付けたコラムラベルが明るく照らされるとともに、外扉の裏面側に配備したリモコン，カウンタ，コイン機構の集金箱などに対する作業も手暗がとなることなく行うことができる。
【００１３】
また、本発明によれば、庫内照明装置を具体的に次記のような態様で構成することができる。
(1) 断熱内扉の上部内扉を外扉と一体に開閉するよう外扉に係止し、商品補給時になどで外扉を開放した際に、外扉と一緒に上部内扉も開くようにして上部内扉を単独で開く手間を省くようにする（請求項２）。
(2) 透光穴を透明シートで覆い、照明光に寄ってきた虫などがディスプレイ室内に入り込むのを防止する（請求項３）。
【００１４】
【発明の実施の形態】
以下、本発明の実施の形態を図１，図２に示す実施例に基づいて説明する。なお、図１の構成概要については先に説明済みである。
すなわち、本発明によれば、上下二分割構造の断熱内扉４と組合せて、外扉３の裏面側には下部内扉４ａと対向するディスプレイ室の背面扉板１０の面域一部にディスプレイ室内に装備した照明灯（蛍光灯）の明かりを庫内側に採光するスリット状の透光穴１０ａが蛍光灯の長手方向に沿って分散開口している。
【００１５】
ここで、図２にディスプレイ室の断面構造を示す。図２において、ディスプレイ室１２は外扉３の前面に配した透明な電照板１３と背面扉板１０との間に画成され、ディスプレイ室１２の室内には商品見本（光透過性のある樹脂製のダミー商品）１４を展示した陳列台１５，および陳列台１５の下面側に配した照明灯（左右に長い蛍光灯）１６が配備されており、さらに陳列台１５の前面に商品と個々に対応する商品選択ボタン１７を備えている。そして、前記の透光穴１０ａは照明灯１６の背後に開口しており、さらにこの透光穴１０ａを内側から透明シート１８で覆い、照明灯の明かりに寄って来た虫などがディスプレイ室１２に侵入するのを防ぐようにしている。
【００１６】
一方、図１に戻って、商品収納ラック２の商品投入口２ａの前面を覆う上部内扉４ａは、外扉３と一体に開け閉めできるように外扉にヒンジ結合されており、さらに扉の先端側（ヒンジ金具と反対側）が掛止金具１９を介して外扉３に係止されている。
【００１７】
かかる構成で、商品補給時に外扉３を開放すると、外扉３と一緒に断熱内扉４の上部内扉４ａが開き、商品収納ラック２の商品投入口２ａから前方に後退する。なお、図１では下部内扉４ｂが半開状態になっているが、商品補給時には下部内扉４ｂを閉じたままとして庫内と庫外の間を断熱している。そして、外扉３，上部内扉４ａが開いた状態になると、外扉３のディスプレイ室内に設けた照明灯１６の光が図２の矢印で表すように採光穴１０ａを透過して背後に投光し、本体ケース１の前面を照らすようになる。これにより、自動販売機の周囲が暗い状況下でも商品収納ラック２の前面上部に開口した商品投入口２ａが上部内扉４ａに邪魔されることなく直接照らし出されるとともに、下部内扉４ｂの前面に貼り付けたコラムラベル９もディスプレイ室照明灯１６の光で明るく照らされるようになる。また、外扉３の裏面側に装備したリモコン７の操作，カウンタ８の読み取り，および集金箱６ａからのコイン回収などの作業も照明灯１６の明かの下で楽に行える。したがって、断熱内扉４に組み込んだ従来の照明ランプ，およびそのランプを扉開閉に合わせて点灯，消灯制御する扉スイッチなども不要となる。
【００１８】
【発明の効果】
以上述べたように、本発明の構成によれば、外扉のディスプレイ室内に装備した照明灯を利用して商品補給などで外扉を開放した際に断熱内扉に邪魔されることなく、庫内側の前面を明るく照らすことができ、断熱内扉の裏面側に小さなランプを装備した従来構成と比べて商品補充などのメンテナンス作業が楽に行えるとともに、ランプを断熱内扉の開閉に合わせて点灯，消灯する扉スイッチも不要となってコストダウンが図れる。
【図面の簡単な説明】
【図１】本発明の実施例による自動販売機の扉開放状態を正面図
【図２】図１におけるディスプレイ室の構成断面図
【符号の説明】
１    本体ケース
２    商品収納ラック
２ａ  商品投入口
３    外扉
４    断熱内扉
４ａ  上部内扉
４ｂ  下部内扉
１０    ディスプレイ室の背面扉板
１０ａ  透光穴
１２    ディスプレイ室
１４    商品見本
１６    照明灯
１８    透明シート
１９    上部内扉の掛止金具
【図１】
0003726528.tif 000002
【図２】
0003726528.tif 000003